【手続補正書】
【提出日】平成21年11月27日(2009.11.27)
【手続補正１】
【補正対象書類名】特許請求の範囲
【補正対象項目名】全文
【補正方法】変更
【補正の内容】
【特許請求の範囲】
【請求項１】
遊技場に設置された遊技用装置から遊技情報を収集する複数の情報収集端末装置と、前記情報収集端末装置によって収集された遊技情報を管理する遊技場管理サーバと、少なくとも前記情報収集端末装置のネットワーク通信アドレスを管理するネットワーク管理サーバと、前記情報収集端末装置と前記遊技場管理サーバと前記ネットワーク管理サーバとを接続するネットワークと、を備えた遊技システムにおいて、
前記情報収集端末装置は、
当該情報収集端末装置を一意に識別する個体識別情報を格納する記憶手段と、
前記ネットワーク管理サーバから通知されたネットワーク通信アドレスを設定するアドレス設定手段と、
前記ネットワーク通信アドレスを前記ネットワーク管理サーバに要求するための操作を受け付ける操作受付手段と、
前記操作受付手段の操作に基づいて、前記記憶手段に記憶された個体識別情報及び前記ネットワーク通信アドレスの割り当て要求を前記遊技場管理サーバに通知するアドレス要求手段と、
前記遊技用装置から収集された前記遊技情報の累積値を記憶する第１累積値記憶手段と、
前記第１累積値記憶手段に記憶された前記遊技情報の累積値を所定のタイミングで前記遊技場管理サーバ及び／又は前記ネットワーク管理サーバに通知する累積値通知手段と、を備え、
前記ネットワーク管理サーバは、
前記情報収集端末装置から通知された個体識別情報と前記遊技用装置に一意に対応する前記遊技用装置の台番号と、前記個体識別情報を有する情報収集端末装置に割り当てられたネットワーク通信アドレスと、を対応付けた通信アドレステーブルを記憶するアドレステーブル記憶手段と、
前記台番号に対応する遊技用装置から収集された前記遊技情報の累積値を記憶する第２累積値記憶手段と、
前記情報収集端末装置からネットワーク通信アドレスの割り当て要求が通知された場合に、当該割り当て要求を通知した情報収集端末装置にネットワーク通信アドレスを割り当てるアドレス割当手段と、
前記アドレス割当手段により割り当てられたネットワーク通信アドレス、及び、前記通信アドレステーブルによって、当該ネットワーク通信アドレスと対応付けられている台番号に対応して前記第２累積値記憶手段に記憶されている前記遊技情報の累積値を、前記ネットワーク通信アドレスの割り当て要求があった情報収集端末装置に通知するアドレス通知手段と、を備えることを特徴とする遊技システム。
【請求項２】
遊技場に設置された遊技用装置から遊技情報を収集する複数の情報収集端末装置と、前記情報収集端末装置によって収集された遊技情報を管理する遊技場管理サーバと、少なくとも前記情報収集端末装置のネットワーク通信アドレスを管理するネットワーク管理サーバと、前記情報収集端末装置と前記遊技場管理サーバと前記ネットワーク管理サーバとを接続するネットワークと、を備えた遊技システムにおいて、
前記情報収集端末装置は、
当該情報収集端末装置を一意に識別する個体識別情報を格納する記憶手段と、
前記ネットワーク管理サーバから通知された前記ネットワーク通信アドレスを受け入れることを、当該ネットワーク管理サーバに通知するための操作を受け付ける操作受付手段と、
前記操作受付手段の操作に基づいて、前記記憶手段に記憶された個体識別情報及び前記ネットワーク通信アドレスの受け入れ承認要求を前記ネットワーク管理サーバに通知するアドレス受入通知手段と、
前記受け入れ承認要求に対応して前記ネットワーク管理サーバから前記ネットワーク通信アドレスの受け入れを承認するアドレス承認応答が通知されたことに基づいて、承認されたネットワーク通信アドレスを設定するアドレス設定手段と、
前記遊技用装置から収集した遊技情報の累積値を記憶する第１累積値記憶手段と、
前記第１累積値記憶手段に記憶された遊技情報の累積値を所定のタイミングで前記遊技場管理サーバ及び／又は前記ネットワーク管理サーバに通知する累積値通知手段と、を備え、
前記ネットワーク管理サーバは、
前記情報収集端末装置から通知された個体識別情報と前記遊技用装置に一意に対応する前記遊技用装置の台番号と、前記個体識別情報を有する情報収集端末装置に割り当てられたネットワーク通信アドレスと、を対応付けた通信アドレステーブルを記憶するアドレステーブル記憶手段と、
前記台番号に対応する遊技用装置から収集された前記遊技情報の累積値を記憶する第２累積値記憶手段と、
前記情報収集端末装置の故障を検知する故障検知手段と、
前記故障検知手段によって前記情報収集端末装置の故障が検知された場合に、当該情報収集端末装置に割り当てられていたネットワーク通信アドレスを解除するアドレス解除手段と、
前記アドレス解除手段によって解除されたネットワーク通信アドレスを前記ネットワークに接続された前記情報収集端末装置に通知して、当該ネットワーク通信アドレスの受け入れ応答を要求する受入応答要求手段と、
前記情報収集端末装置から前記受け入れ承認要求が通知された場合に、当該受け入れ承認要求を通知した情報収集端末装置に前記受入応答要求手段が通知したネットワーク通信アドレスを割り当てるアドレス割当手段と、
前記アドレス割当手段により割り当てられたネットワーク通信アドレス、前記通信アドレステーブルによって当該ネットワーク通信アドレスと対応付けられている台番号に対応して前記第２累積値記憶手段に記憶されている前記遊技情報の累積値及び前記アドレス承認応答を、前記受け入れ応答があった情報収集端末装置に通知するアドレス通知手段と、を備えることを特徴とする遊技システム。
【請求項３】
前記情報収集端末装置は、前記ネットワーク管理サーバから通知された前記遊技情報の累積値を承継累積値として前記第１累積値記憶手段に記憶させる累積値更新手段を備えることを特徴とする請求項１又は２に記載の遊技システム。
【請求項４】
前記ネットワーク管理サーバは、
前記情報収集端末装置から通知された前記個体識別情報と、当該情報収集端末装置に通知した前記遊技情報の累積値と、を対応付けて記憶する累積値通知記録手段を備えることを特徴とする請求項１から３のいずれか一つに記載の遊技システム。
【請求項５】
前記ネットワーク管理サーバは、前記アドレス割当手段による前記ネットワーク通信アドレスの割り当てを、所定の割当条件に基づいて承認する承認手段を備えることを特徴とする請求項１から４のいずれか一つに記載の遊技システム。
【請求項６】
さらに、遊技場外部に設置され、前記情報収集端末装置の正当性を、所定の確認条件に基づいて確認する確認手段を備える外部管理サーバを備え、
前記承認手段は、前記外部管理サーバの確認手段による確認に基づいて、前記アドレス割当手段による前記ネットワーク通信アドレスの割り当てを承認することを特徴とする請求項５に記載の遊技システム。
【手続補正２】
【補正対象書類名】明細書
【補正対象項目名】００１１
【補正方法】変更
【補正の内容】
【００１１】
第１の発明は、遊技場に設置された遊技用装置から遊技情報を収集する複数の情報収集端末装置と、前記情報収集端末装置によって収集された遊技情報を管理する遊技場管理サーバと、少なくとも前記情報収集端末装置のネットワーク通信アドレスを管理するネットワーク管理サーバと、前記情報収集端末装置と前記遊技場管理サーバと前記ネットワーク管理サーバとを接続するネットワークと、を備えた遊技システムにおいて、前記情報収集端末装置は、当該情報収集端末装置を一意に識別する個体識別情報を格納する記憶手段と、前記ネットワーク管理サーバから通知されたネットワーク通信アドレスを設定するアドレス設定手段と、前記ネットワーク通信アドレスを前記ネットワーク管理サーバに要求するための操作を受け付ける操作受付手段と、前記操作受付手段の操作に基づいて、前記記憶手段に記憶された個体識別情報及び前記ネットワーク通信アドレスの割り当て要求を前記遊技場管理サーバに通知するアドレス要求手段と、前記遊技用装置から収集された前記遊技情報の累積値を記憶する第１累積値記憶手段と、前記第１累積値記憶手段に記憶された前記遊技情報の累積値を所定のタイミングで前記遊技場管理サーバ及び／又は前記ネットワーク管理サーバに通知する累積値通知手段と、を備え、前記ネットワーク管理サーバは、前記情報収集端末装置から通知された個体識別情報と前記遊技用装置に一意に対応する前記遊技用装置の台番号と、前記個体識別情報を有する情報収集端末装置に割り当てられたネットワーク通信アドレスと、を対応付けた通信アドレステーブルを記憶するアドレステーブル記憶手段と、前記台番号に対応する遊技用装置から収集された前記遊技情報の累積値を記憶する第２累積値記憶手段と、前記情報収集端末装置からネットワーク通信アドレスの割り当て要求が通知された場合に、当該割り当て要求を通知した情報収集端末装置にネットワーク通信アドレスを割り当てるアドレス割当手段と、前記アドレス割当手段により割り当てられたネットワーク通信アドレス、及び、前記通信アドレステーブルによって、当該ネットワーク通信アドレスと対応付けられている台番号に対応して前記第２累積値記憶手段に記憶されている前記遊技情報の累積値を、前記ネットワーク通信アドレスの割り当て要求があった情報収集端末装置に通知するアドレス通知手段と、を備える。
【手続補正３】
【補正対象書類名】明細書
【補正対象項目名】００１２
【補正方法】変更
【補正の内容】
【００１２】
第２の発明は、遊技場に設置された遊技用装置から遊技情報を収集する複数の情報収集端末装置と、前記情報収集端末装置によって収集された遊技情報を管理する遊技場管理サーバと、少なくとも前記情報収集端末装置のネットワーク通信アドレスを管理するネットワーク管理サーバと、前記情報収集端末装置と前記遊技場管理サーバと前記ネットワーク管理サーバとを接続するネットワークと、を備えた遊技システムにおいて、前記情報収集端末装置は、当該情報収集端末装置を一意に識別する個体識別情報を格納する記憶手段と、前記ネットワーク管理サーバから通知された前記ネットワーク通信アドレスを受け入れることを、当該ネットワーク管理サーバに通知するための操作を受け付ける操作受付手段と、前記操作受付手段の操作に基づいて、前記記憶手段に記憶された個体識別情報及び前記ネットワーク通信アドレスの受け入れ承認要求を前記ネットワーク管理サーバに通知するアドレス受入通知手段と、前記受け入れ承認要求に対応して前記ネットワーク管理サーバから前記ネットワーク通信アドレスの受け入れを承認するアドレス承認応答が通知されたことに基づいて、承認されたネットワーク通信アドレスを設定するアドレス設定手段と、前記遊技用装置から収集した遊技情報の累積値を記憶する第１累積値記憶手段と、前記第１累積値記憶手段に記憶された遊技情報の累積値を所定のタイミングで前記遊技場管理サーバ及び／又は前記ネットワーク管理サーバに通知する累積値通知手段と、を備え、前記ネットワーク管理サーバは、前記情報収集端末装置から通知された個体識別情報と前記遊技用装置に一意に対応する前記遊技用装置の台番号と、前記個体識別情報を有する情報収集端末装置に割り当てられたネットワーク通信アドレスと、を対応付けた通信アドレステーブルを記憶するアドレステーブル記憶手段と、前記台番号に対応する遊技用装置から収集された前記遊技情報の累積値を記憶する第２累積値記憶手段と、前記情報収集端末装置の故障を検知する故障検知手段と、前記故障検知手段によって前記情報収集端末装置の故障が検知された場合に、当該情報収集端末装置に割り当てられていたネットワーク通信アドレスを解除するアドレス解除手段と、前記アドレス解除手段によって解除されたネットワーク通信アドレスを前記ネットワークに接続された前記情報収集端末装置に通知して、当該ネットワーク通信アドレスの受け入れ応答を要求する受入応答要求手段と、前記情報収集端末装置から前記受け入れ承認要求が通知された場合に、当該受け入れ承認要求を通知した情報収集端末装置に前記受入応答要求手段が通知したネットワーク通信アドレスを割り当てるアドレス割当手段と、前記アドレス割当手段により割り当てられたネットワーク通信アドレス、前記通信アドレステーブルによって当該ネットワーク通信アドレスと対応付けられている台番号に対応して前記第２累積値記憶手段に記憶されている前記遊技情報の累積値及び前記アドレス承認応答を、前記受け入れ応答があった情報収集端末装置に通知するアドレス通知手段と、を備える。
【手続補正４】
【補正対象書類名】明細書
【補正対象項目名】００１３
【補正方法】変更
【補正の内容】
【００１３】
第３の発明は、第１又は第２の発明において、前記情報収集端末装置は、前記ネットワーク管理サーバから通知された前記遊技情報の累積値を承継累積値として前記第１累積値記憶手段に記憶させる累積値更新手段を備える。
【手続補正５】
【補正対象書類名】明細書
【補正対象項目名】００１４
【補正方法】変更
【補正の内容】
【００１４】
第４の発明は、第１から第３の発明において、前記ネットワーク管理サーバは、前記情報収集端末装置から通知された前記個体識別情報と、当該情報収集端末装置に通知した前記遊技情報の累積値と、を対応付けて記憶する累積値通知記録手段を備える。
【手続補正６】
【補正対象書類名】明細書
【補正対象項目名】００１５
【補正方法】変更
【補正の内容】
【００１５】
第５の発明は、第１から第４の発明において、前記ネットワーク管理サーバは、前記アドレス割当手段による前記ネットワーク通信アドレスの割り当てを、所定の割当条件に基づいて承認する承認手段を備える。
【手続補正７】
【補正対象書類名】明細書
【補正対象項目名】００１６
【補正方法】変更
【補正の内容】
【００１６】
第６の発明は、第５の発明において、さらに、遊技場外部に設置され、前記情報収集端末装置の正当性を、所定の確認条件に基づいて確認する確認手段を備える外部管理サーバを備え、前記承認手段は、前記外部管理サーバの確認手段による確認に基づいて、前記アドレス割当手段による前記ネットワーク通信アドレスの割り当てを承認する。
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
第１の発明によれば、遊技場に設置された遊技用装置から遊技情報を収集する複数の情報収集端末装置と、前記情報収集端末装置によって収集された遊技情報を管理する遊技場管理サーバと、少なくとも前記情報収集端末装置のネットワーク通信アドレスを管理するネットワーク管理サーバと、前記情報収集端末装置と前記遊技場管理サーバと前記ネットワーク管理サーバとを接続するネットワークと、を備えた遊技システムにおいて、前記情報収集端末装置は、当該情報収集端末装置を一意に識別する個体識別情報を格納する記憶手段と、前記ネットワーク管理サーバから通知されたネットワーク通信アドレスを設定するアドレス設定手段と、前記ネットワーク通信アドレスを前記ネットワーク管理サーバに要求するための操作を受け付ける操作受付手段と、前記操作受付手段の操作に基づいて、前記記憶手段に記憶された個体識別情報及び前記ネットワーク通信アドレスの割り当て要求を前記遊技場管理サーバに通知するアドレス要求手段と、前記遊技用装置から収集された前記遊技情報の累積値を記憶する第１累積値記憶手段と、前記第１累積値記憶手段に記憶された前記遊技情報の累積値を所定のタイミングで前記遊技場管理サーバ及び／又は前記ネットワーク管理サーバに通知する累積値通知手段と、を備え、前記ネットワーク管理サーバは、前記情報収集端末装置から通知された個体識別情報と前記遊技用装置に一意に対応する前記遊技用装置の台番号と、前記個体識別情報を有する情報収集端末装置に割り当てられたネットワーク通信アドレスと、を対応付けた通信アドレステーブルを記憶するアドレステーブル記憶手段と、前記台番号に対応する遊技用装置から収集された前記遊技情報の累積値を記憶する第２累積値記憶手段と、前記情報収集端末装置からネットワーク通信アドレスの割り当て要求が通知された場合に、当該割り当て要求を通知した情報収集端末装置にネットワーク通信アドレスを割り当てるアドレス割当手段と、前記アドレス割当手段により割り当てられたネットワーク通信アドレス、及び、前記通信アドレステーブルによって、当該ネットワーク通信アドレスと対応付けられている台番号に対応して前記第２累積値記憶手段に記憶されている前記遊技情報の累積値を、前記ネットワーク通信アドレスの割り当て要求があった情報収集端末装置に通知するアドレス通知手段と、を備えるので、遊技場内の通信設備についての高度な知識を持つ係員を遊技場に常駐させることができない場合であっても、迅速な故障対応を可能とする。また、遊技場データの改ざんの疑いの余地を生じさせることのない公正な遊技情報の収集を可能とする。
【手続補正１０】
【補正対象書類名】明細書
【補正対象項目名】００２０
【補正方法】変更
【補正の内容】
【００２０】
第２の発明によれば、遊技場に設置された遊技用装置から遊技情報を収集する複数の情報収集端末装置と、前記情報収集端末装置によって収集された遊技情報を管理する遊技場管理サーバと、少なくとも前記情報収集端末装置のネットワーク通信アドレスを管理するネットワーク管理サーバと、前記情報収集端末装置と前記遊技場管理サーバと前記ネットワーク管理サーバとを接続するネットワークと、を備えた遊技システムにおいて、前記情報収集端末装置は、当該情報収集端末装置を一意に識別する個体識別情報を格納する記憶手段と、前記ネットワーク管理サーバから通知された前記ネットワーク通信アドレスを受け入れることを、当該ネットワーク管理サーバに通知するための操作を受け付ける操作受付手段と、前記操作受付手段の操作に基づいて、前記記憶手段に記憶された個体識別情報及び前記ネットワーク通信アドレスの受け入れ承認要求を前記ネットワーク管理サーバに通知するアドレス受入通知手段と、前記受け入れ承認要求に対応して前記ネットワーク管理サーバから前記ネットワーク通信アドレスの受け入れを承認するアドレス承認応答が通知されたことに基づいて、承認されたネットワーク通信アドレスを設定するアドレス設定手段と、前記遊技用装置から収集した遊技情報の累積値を記憶する第１累積値記憶手段と、前記第１累積値記憶手段に記憶された遊技情報の累積値を所定のタイミングで前記遊技場管理サーバ及び／又は前記ネットワーク管理サーバに通知する累積値通知手段と、を備え、前記ネットワーク管理サーバは、前記情報収集端末装置から通知された個体識別情報と前記遊技用装置に一意に対応する前記遊技用装置の台番号と、前記個体識別情報を有する情報収集端末装置に割り当てられたネットワーク通信アドレスと、を対応付けた通信アドレステーブルを記憶するアドレステーブル記憶手段と、前記台番号に対応する遊技用装置から収集された前記遊技情報の累積値を記憶する第２累積値記憶手段と、前記情報収集端末装置の故障を検知する故障検知手段と、前記故障検知手段によって前記情報収集端末装置の故障が検知された場合に、当該情報収集端末装置に割り当てられていたネットワーク通信アドレスを解除するアドレス解除手段と、前記アドレス解除手段によって解除されたネットワーク通信アドレスを前記ネットワークに接続された前記情報収集端末装置に通知して、当該ネットワーク通信アドレスの受け入れ応答を要求する受入応答要求手段と、前記情報収集端末装置から前記受け入れ承認要求が通知された場合に、当該受け入れ承認要求を通知した情報収集端末装置に前記受入応答要求手段が通知したネットワーク通信アドレスを割り当てるアドレス割当手段と、前記アドレス割当手段により割り当てられたネットワーク通信アドレス、前記通信アドレステーブルによって当該ネットワーク通信アドレスと対応付けられている台番号に対応して前記第２累積値記憶手段に記憶されている前記遊技情報の累積値及び前記アドレス承認応答を、前記受け入れ応答があった情報収集端末装置に通知するアドレス通知手段と、を備えるので、遊技場内の通信設備についての高度な知識を持つ係員を遊技場に常駐させることができない場合であっても、迅速な故障対応を可能とする。また、遊技場データの改ざんの疑いの余地を生じさせることのない公正な遊技情報の収集を可能とする。特に、遊技場管理装置が交換前後の情報収集端末装置を把握する必要がないので、遊技場管理装置の処理負担が増大することがない。
【手続補正１１】
【補正対象書類名】明細書
【補正対象項目名】００２１
【補正方法】変更
【補正の内容】
【００２１】
第３の発明によれば、前記情報収集端末装置は、前記ネットワーク管理サーバから通知された前記遊技情報の累積値を承継累積値として前記第１累積値記憶手段に記憶させる累積値更新手段を備えるので、特別な操作の必要なく、交換に係る情報収集端末装置間で累積値を引き継ぐことができる。
【手続補正１２】
【補正対象書類名】明細書
【補正対象項目名】００２２
【補正方法】変更
【補正の内容】
【００２２】
第４の発明によれば、前記ネットワーク管理サーバは、前記情報収集端末装置から通知された前記個体識別情報と、当該情報収集端末装置に通知した前記遊技情報の累積値と、を対応付けて記憶する累積値通知記録手段を備えるので、情報収集端末装置の故障による交換の正当性を担保可能にする。
【手続補正１３】
【補正対象書類名】明細書
【補正対象項目名】００２３
【補正方法】変更
【補正の内容】
【００２３】
第５の発明によれば、前記ネットワーク管理サーバは、前記アドレス割当手段による前記ネットワーク通信アドレスの割り当てを、所定の割当条件に基づいて承認する承認手段を備えるので、割り当て条件を適切に定めることによって、情報収集端末装置の不正な交換を排除できる。
【手続補正１４】
【補正対象書類名】明細書
【補正対象項目名】００２４
【補正方法】変更
【補正の内容】
【００２４】
第６の発明によれば、さらに、遊技場外部に設置され、前記情報収集端末装置の正当性を、所定の確認条件に基づいて確認する確認手段を備える外部管理サーバを備え、前記承認手段は、前記外部管理サーバの確認手段による確認に基づいて、前記アドレス割当手段による前記ネットワーク通信アドレスの割り当てを承認するので、外部管理サーバの確認がなければ交換された情報収集端末装置にネットワーク通信アドレスが割り当てられないことから、情報収集端末装置の故障による交換の正当性を担保可能にする。
【手続補正１５】
【補正対象書類名】明細書
【補正対象項目名】００２５
【補正方法】削除
【補正の内容】